(57)【要約】【課題】外扉の製造工程に投入する資材（鋼板）の材料費を節減し、併せて扉部品の一部を幅違いな各機種の外扉に流用して部品の標準化が図れるように扉本体の組立構造を改良する。【解決手段】扉本体の上半部に商品見本を展示するディスプレイ室を画成し、下半部に商品取出口，通貨関連機器を装備した自動販売機の外扉において、外扉の扉本体を、前記下半部に対応する外形の扉主板１７と、該扉主板の左右側縁に添わせて溶接接合した左扉枠１９および右扉枠２０と、左扉枠と右扉枠の間に跨がりその上端に架け渡して溶接した上扉枠１８との組立構造で構成し、かつ前記の左右扉枠の長さ寸法Ｈを自動販売機の外形標準高さに合わせて設定し、幅違いな小形機，大形機の各機種に流用できるよにして部品の標準化を図る。【選択図】　　　図１
2004021809.tif 000002
【特許請求の範囲】
【請求項１】
扉本体の上半部に商品見本を展示するディスプレイ室を画成し、下半部に商品取出口，通貨関連機器を装備した自動販売機の外扉において、
扉本体を、前記下半部に対応する外形の扉主板と、該扉主板の左右側縁に添わせて溶接接合した左扉枠および右扉枠と、左扉枠と右扉枠の間に跨がりその上端に架け渡して溶接した上扉枠との組立構造で構成し、かつ前記の左右扉枠を幅違いな機種に共通な扉部品として、その上下長さを自動販売機の外形標準高さに合わせて設定したことを特徴とする自動販売機の外扉。
【発明の詳細な説明】
【０００１】
【発明の属する技術分野】
本発明は、自動販売機の本体キャビネットの前面に配した外扉の組立構造に関する。
【０００２】
【従来の技術】
まず、本発明の実施対象となる自動販売機を図４，図５に示す。各図において、１は自動販売機の本体キャビネット、２は外扉であり、外扉２の前面側上半部には商品見本を陳列するディスプレイ室３が画成され、下半部には商品取出口４，広告表示用の電照室５，コイン投入口，返却レバーを備えた操作パネル６，紙幣挿入口７，扉ロック８，釣銭返却口９，およびキャビネットの底部に搭載した冷凍機に送風する冷却空気吸込口を開口した導風パネル１０を図示のようにレイアウトされている。
【０００３】
また、外扉２の裏面側には、通貨関連機器としてコイン機構１１，ビルバリデータ１２，コインシュータ１３，コイン回収ボックス１４などを装備している。なお、図５において、１ａは本体キャビネット１の庫内前面を覆う断熱内扉、２ａはディスプレイ室３，電照室５の背面に配して外扉２に設けた背面扉、１５はキャビネット１の庫内に収設した商品収納ラック、１６は商品収納ラック１５から払出した商品を商品取出口４に搬出するシュータである。
【０００４】
次に、前記外扉２の従来における扉本体の組立構造（背面側から見た）を図６，図７に示す。すなわち、外扉２は次記の各種扉部品（鋼板製部品）を溶接して組立てた構造になり、外扉２の外形に合わせて裁断した鋼板に先記したディスプレイ室３，商品取出口４，電照室５にそれぞれ対応する窓穴Ａ，Ｂ，Ｃ、およびコイン，紙幣の投入口Ｄ，釣銭返却口Ｅ，扉ロック取付穴Ｆなどをプレス加工した扉主板１７に対し、扉主板１７の上縁および左右側縁に添わせて上扉枠１８，左扉枠１９，右扉枠２０を溶接し、さらに、扉主板１７の裏面には通貨関連機器（コイン機構，ビルバリデータ）の取付基板２１，商品取出口外枠２２，および導風パネル１０などを溶接して構成されている。
【０００５】
【発明が解決しようとする課題】
ところで、前記した組立構造になる従来の外扉２は、製造コスト面で次に記すような問題点がある。すなわち、
（１）　従来の外扉２では、図７で示すように扉主板１７の板面上半部にディスプレイ室３に対応する大きな窓穴Ａが開口している。この窓穴Ａは、外扉２の外形サイズに合わせて裁断した鋼板をプレス加工により打ち抜くようにしており、このプレスにより鋼板には窓穴Ａに相応した大きな破材が発生する。しかも、この破材は利用価値もないことから、屑鉄としてそのまま処分されているが現状である。このために、外扉の製造工程に投入する資材（鋼板）に無駄な破材が生じこのことが製品の材料費を高める要因となっている。
【０００６】
（２）　さらに、缶，びん，ペットボトル商品の自動販売機は、その外形高さが標準寸法（１８３０ｍｍ）に統一されているが、本体キャビネットの外形（間口）寸法は機種（大形機，小形機）により異なり、これに合わせて外扉２の外形サイズ（横幅）およびデザイン（ディスプレイ室，商品取出口などのレイアウト）も機種によって変わる。このことから、従来の外扉構造では、自動販売機の幅違いな機種ごとにその外形サイズに対応した前記の扉部品を製造しておく必要があり、そのために扉部品の種類が多くなるとともに、その製造工程では特に扉主板のプレス加工工程で無駄な破材が多量に発生して製品コストを押し上げる。
【０００７】
本発明は上記の点に鑑みなされたものであり、外扉の製造工程に投入する資材（鋼板）を節減し、併せて扉部品の一部を幅違いな各機種の外扉に流用して部品の標準化が図れるよう組立構造を改良した自動販売機の外扉を提供することを目的とする。
【０００８】
【課題を解決するための手段】
上記目的を達成するために、本発明によれば、扉本体の上半部に商品見本を展示するディスプレイ室を画成し、下半部に商品取出口，通貨関連機器を装備した自動販売機の外扉において、
その扉本体を、前記下半部に対応する外形の扉主板と、該扉主板の左右側縁に添わせて溶接接合した左扉枠および右扉枠と、左扉枠と右扉枠の間に跨がりその上端に架け渡して溶接した上扉枠との組立構造で構成し、かつ前記の左右扉枠を幅違いな機種に共通な扉部品として、その上下長さを自動販売機の外形標準高さに合わせて設定するものとする。
【０００９】
上記の構成によれば、外扉の下半部に対応する外形の扉主板と、これに上扉枠，左右の扉枠を組合せて扉本体を構成しているので、外扉の外形サイズに対応する大面積の鋼板をプレス加工してディスプレイ室の窓穴を形成した従来の扉構造のように大きな破材の生じることが無く、これにより製造工程に投入する鋼材を大幅に節減できる。
【００１０】
また、左右の扉枠の高さを自動販売機の各機種で統一された外形標準高さに設定しておくことで、幅違いな機種の外扉に共通部品として流用することができ、これにより部品の標準化が図れて製品コストを低減できる。
【００１１】
【発明の実施の形態】
以下、本発明の実施の形態を図１〜図３に示す実施例で説明する。なお、図中で図６，図７に対応する部材には同じ符号を付してその説明は省略する。
図示実施例の外扉２は、次記のように分割した扉部品を溶接接合して組立てた構成になる。すなわち、扉本体の下半部（図４の外扉２におけるディスプレイ室３より下側の範囲）に対応した外形の扉主板１７に対し、扉主板１７の左右両側縁に添わせて左扉枠１９および右扉枠２０を溶接接合し、さらに左扉枠１９と右扉枠２０の間に跨がってその上端に上扉枠１８を溶接接合して扉本体を構成し、この組立状態で扉主板１７の上縁と各扉枠１８〜２０との間に囲まれたディスプレイ室を画成している。ここで、扉主板１７には、図４に示した外扉２の商品取出口４に対応する窓穴Ｂ，電照室５に対応する窓穴Ｃ，およびコイン，紙幣の投入口Ｄ，釣銭返却口Ｅ，扉ロック取付穴Ｆなどがプレス加工されている。また、左右の扉枠１９，２０は、その上下長さ寸法Ｈが自動販売機の各機種で統一された標準の外形高さ寸法（１８３０ｍｍ）に設定され、主扉板１７および上扉枠１８は自動販売機の機種ごとに指定された扉幅寸法Ｄに合わせて作られている。なお、図７で述べた商品取出口外枠２１，通貨関連機器の取付基板２２は、従来と同様に扉主板１７の裏面に溶接接合しておくものとする。
【００１２】
上記の構成によれば、従来構造のように一枚板の鋼板にディスプレイ室３に対応する窓穴Ａをプレス加工する必要がなく、したがってプレス加工に伴う大きな破材が発生せず、これにより製造工程に投入する資材（鋼板）の量を大幅に節減できる。また、左右の扉枠１９，２０の長さＨを自動販売機の標準外形サイズに設定して製作しておくことにより、図３（ａ），（ｂ）　で示すように外扉の扉幅がＤ１　あるいはＤ２　のように異なる幅違いの機種に対し、左右の扉枠１９，２０を共通部品として流用することができて扉部品の標準化が図れる。
【００１３】
【発明の効果】
以上述べたように、本発明の構成によれば、扉本体の上半部に商品見本を展示するディスプレイ室を画成し、下半部に商品取出口，通貨関連機器を装備した自動販売機の外扉において、扉本体を、前記下半部に対応する外形の扉主板と、該扉主板の左右側縁に添わせて溶接接合した左扉枠および右扉枠と、左扉枠と右扉枠の間に跨がりその上端に架け渡して溶接した上扉枠との組立構造で構成し、かつ前記の左右扉枠を幅違いな機種に共通な扉部品として、その上下長さを自動販売機の外形標準高さに合わせて設定したことにより、
外扉の外形サイズに対応する鋼板にディスプレイ室に対応する窓穴をプレス形成した従来の扉構造のように大きな破材の生じることが無く、これにより製造工程に投入する鋼材を大幅に節減できる。また、左右の扉枠の高さを自動販売機の各機種で統一された外形標準高さに設定しておくことで、幅違いな機種の外扉に共通部品として流用することができ、これにより扉部品の標準化，コストダウンが図れる。
【図面の簡単な説明】
【図１】本発明の実施例に係わる外扉本体の組立構造を表す扉背面側から見た分解斜視図
【図２】図１の組立状態を表す扉本体の背面図
【図３】本発明の実施例による幅違いな機種の外扉本体を表す図であり、（ａ），（ｂ）　はそれぞれ小形機種，大形機種の扉本体を背面側から見た分解斜視図
【図４】自動販売機の正面図
【図５】図４に示した自動販売機の扉開放状態を表す外観図
【図６】従来における外扉本体の組立構造を表す扉背面側から見た斜視図
【図７】図６の分解斜視図
【符号の説明】
１　　自動販売機の本体キャビネット
２　　外扉
３　　ディスプレイ室
４　　商品取出口
１１　　コイン機構（通貨関連機器）
１２　　ビルバリデータ（通貨関連機器）
１７　　扉主板
１８　　上扉枠
１９　　左扉枠
２０　　右扉枠
２１　　通貨関連機器の取付基板
２２　　商品取出口枠
【図１】
2004021809.tif 000003
【図２】
2004021809.tif 000004
【図３】
2004021809.tif 000005
【図４】
2004021809.tif 000006
【図５】
2004021809.tif 000007
【図６】
2004021809.tif 000008
【図７】
2004021809.tif 000009